(57)【特許請求の範囲】
【請求項１】
ドラフト装置のバックトップローラとバックボトムローラとの間に喰い込んで前記バックボトムローラから前記バックトップローラへの回転の伝達を遮断し、前記ドラフト装置に供給される繊維束を前記バックトップローラと共に挟み込む楔部を有する停止部材を備えた紡機の繊維束供給停止装置であって、
前記停止部材の位置は、前記繊維束を挟持しない繊維束開放位置と前記繊維束を挟持する繊維束挟持位置とに切り換え可能であり、
前記停止部材は、当該停止部材が前記繊維束挟持位置に位置決めされた状態にあるときに、前記バックトップローラと前記楔部とで前記繊維束が挟み込まれる位置よりも前記繊維束の流れ方向の上流で、前記繊維束に刺し込まれて前記繊維束を梳くことで解撚する櫛歯を有することを特徴とする紡機の繊維束供給停止装置。
【請求項２】
前記櫛歯が前記バックトップローラに当接可能になっていることを特徴とする請求項１に記載の紡機の繊維束供給停止装置。
【請求項３】
前記停止部材は、前記バックトップローラと当接する凸部を前記櫛歯とは別に有することを特徴とする請求項１に記載の紡機の繊維束供給停止装置。
【発明の詳細な説明】
【技術分野】
【０００１】
本発明は、ドラフト装置に供給される繊維束の供給を停止する紡機の繊維束供給停止装置に関する。
【背景技術】
【０００２】
粗糸あるいはスライバから糸を紡出する精紡機においては、複数の錘で同時に紡出が行われ、紡出中に糸切れが発生しても、糸切れ錘以外の錘は紡出を継続する。糸切れが発生した錘のドラフト装置に対しても繊維束の供給を継続し、ドラフト装置から送出される繊維束を吸引して回収する精紡機もあるが、精紡機によっては、糸切れが発生した錘のドラフト装置への繊維束の供給を停止する停止装置を備えたものがある。このような停止装置の一種として、特許文献１の粗糸停止装置が開示されている。
【０００３】
特許文献１の粗糸停止装置は、ドラフト装置のバックボトムローラの半周以上に嵌合し、通常時は、バックボトムローラと一体的に回転しない停止爪を有している。そして、糸切れが発生したことが確認されると、停止爪が揺動（回転）し、停止爪の縁部が、粗糸とバックボトムローラとの間に割り込んで、ドラフト装置のバックトップローラとバックボトムローラとの間に喰い込む。これにより、バックボトムローラからバックトップローラへの回転の伝達が遮断される。そして、停止爪は、それ以上回転することが阻止され、粗糸は、停止爪とバックトップローラとの間で保持される。このとき、ドラフト装置の駆動は継続されており、粗糸は、バックトップローラよりも粗糸の流れ方向の下流で引っ張られることで切断される。その結果、糸切れが発生した錘のドラフト装置への粗糸の供給が停止される。
【先行技術文献】
【特許文献】
【０００４】
【特許文献１】特開昭５７−１３３２２４号公報
【発明の概要】
【発明が解決しようとする課題】
【０００５】
ところで、例えば、レーヨンのような破断強度が高い粗糸では、特許文献１の粗糸停止装置を用いた場合に、停止爪とバックトップローラとの間で粗糸が保持された状態で、バックトップローラよりも粗糸の流れ方向の下流で粗糸が引っ張られていたとしても、粗糸が切断されない場合がある。すると、例えば、ドラフト装置において、ミドルボトムローラに巻き掛けられているボトムエプロン、及びミドルトップローラに巻き掛けられているトップエプロンが、粗糸に対して滑って空回りしてしまい、ボトムエプロン及びトップエプロンが摩耗してしまうといった不具合が生じてしまうことがある。
【０００６】
本発明は、上記課題を解決するためになされたものであって、その目的は、繊維束を切断し易くすることができる紡機の繊維束供給停止装置を提供することにある。
【課題を解決するための手段】
【０００７】
上記課題を解決する紡機の繊維束供給停止装置は、ドラフト装置のバックトップローラとバックボトムローラとの間に喰い込んで前記バックボトムローラから前記バックトップローラへの回転の伝達を遮断し、前記ドラフト装置に供給される繊維束を前記バックトップローラと共に挟み込む楔部を有する停止部材を備えた紡機の繊維束供給停止装置であって、前記停止部材の位置は、前記繊維束を挟持しない繊維束開放位置と前記繊維束を挟持する繊維束挟持位置とに切り換え可能であり、前記停止部材は、当該停止部材が前記繊維束挟持位置に位置決めされた状態にあるときに、前記バックトップローラと前記楔部とで前記繊維束が挟み込まれる位置よりも前記繊維束の流れ方向の上流で、前記繊維束に刺し込まれて前記繊維束を梳くことで解撚する櫛歯を有する。
【０００８】
これによれば、ドラフト装置の駆動に伴い繊維束が櫛歯を通過していく際に、繊維束は、櫛歯によって梳かれて解撚される。これにより、繊維束を形成する繊維同士の絡合が弱まって繊維束の強度が低下するため、ドラフト装置の駆動によって引っ張られる繊維束を切断し易くすることができる。
【０００９】
上記紡機の繊維束供給停止装置において、前記櫛歯が前記バックトップローラに当接可能になっていてもよい。
これによれば、櫛歯がバックトップローラに当接することにより、停止部材におけるバックトップローラに対しての位置精度を向上させることができる。よって、楔部をバックトップローラとバックボトムローラとの間に精度良く喰い込ませることができる。
【００１０】
上記紡機の繊維束供給停止装置において、前記停止部材は、前記バックトップローラと当接する凸部を前記櫛歯とは別に有していてもよい。
これによれば、繊維束を櫛梳くために先の尖った形状を有する櫛歯がバックトップローラと当接することにより、バックトップローラの周面を損傷させる虞が無くなる。
【発明の効果】
【００１１】
この発明によれば、繊維束を切断し易くすることができる。
【図面の簡単な説明】
【００１２】
【図１】実施形態におけるドラフト装置を示す概略側面図。
【図２】ドラフト装置の一部を拡大して示す概略側面図。
【図３】（ａ）は停止部材の概略側面図、（ｂ）は停止部材の平面図。
【図４】楔部がバックトップローラとバックボトムローラとの間に喰い込んでいる状態を示す概略側面図。
【図５】粗糸が解撚されている状態を模式的に示す平面図。
【図６】（ａ）は別の実施形態における停止部材の概略斜視図、（ｂ）は楔部がバックトップローラとバックボトムローラとの間に喰い込んでいる状態を示す概略側面図。
【発明を実施するための形態】
【００１３】
以下、紡機の繊維束供給停止装置を具体化した一実施形態を図１〜図５にしたがって説明する。繊維束供給停止装置は、ドラフト装置に供給される繊維束としての粗糸の供給を停止するものである。
【００１４】
図１に示すように、ドラフト装置１０は３線式の構成であり、フロントローラ１１と、ミドルローラ１２に巻き掛けられたエプロン１３と、バックローラ１４とを備えている。フロントローラ１１は、フロントボトムローラ１１ａ及びフロントトップローラ１１ｂで構成されている。ミドルローラ１２は、ミドルボトムローラ１２ａ及びミドルトップローラ１２ｂで構成され、ミドルボトムローラ１２ａにボトムエプロン１３ａが、ミドルトップローラ１２ｂにトップエプロン１３ｂがそれぞれ巻き掛けられている。バックローラ１４は、バックボトムローラ１４ａ及びバックトップローラ１４ｂで構成されている。
【００１５】
フロントボトムローラ１１ａは、ローラスタンド１５に支持され、ミドルボトムローラ１２ａ及びバックボトムローラ１４ａは、ローラスタンド１５に対してミドルボトムローラ支持部１６及びバックボトムローラ支持部１７と図示しない軸受けとを介してそれぞれ支持されている。ミドルボトムローラ支持部１６及びバックボトムローラ支持部１７は、それぞれローラスタンド１５に対して機台の前後方向（図１の左右方向）に位置調整可能に固定されている。
【００１６】
ウエイティングアーム１８は、ローラスタンド１５に支持された支軸１９に対してブラケット２０を介して回動可能に支持されている。フロントトップローラ１１ｂ、ミドルトップローラ１２ｂ及びバックトップローラ１４ｂは、ウエイティングアーム１８に、それぞれ図示しないトップローラ支持体を介して支持されている。
【００１７】
バックボトムローラ１４ａの後方には支持バー２１がバックボトムローラ１４ａに沿って延設されている。支持バー２１には、粗糸Ｓ１を案内するトランペット２２が固定されている。粗糸Ｓ１は、図示しないクリールに吊下された粗糸巻からトランペット２２を介してバックローラ１４に供給される。
【００１８】
図２に示すように、ドラフト装置１０には、繊維束供給停止装置３０が設けられている。繊維束供給停止装置３０は、バックボトムローラ１４ａの外周面の略半周に亘って係合された停止部材３１を備えている。停止部材３１は、円弧状に湾曲した三日月形状である。停止部材３１は、バックボトムローラ１４ａと一体的に回転しない。
【００１９】
図３（ａ）及び（ｂ）に示すように、停止部材３１の外周面における湾曲方向の一端寄りには、粗糸Ｓ１の流れ方向に対して直交する方向に並んで配置されるとともに、粗糸Ｓ１の流れ方向にも並んで配置される複数の歯部３２ａにより構成される櫛歯３２が突設されている。本実施形態では、櫛歯３２は、粗糸Ｓ１の流れ方向に対して直交する方向に並んで配置された複数の歯部３２ａの列が、粗糸Ｓ１の流れ方向に４列並んでおり、粗糸Ｓ１の流れ方向において隣り合う歯列の間で歯部３２ａが相対的に半ピッチずれて配列されている。また、停止部材３１における櫛歯３２よりも湾曲方向の一端部は、バックトップローラ１４ｂとバックボトムローラ１４ａとの間に喰い込む楔部３３になっている。
【００２０】
図４に示すように、停止部材３１は、二点鎖線で示す繊維束開放位置と、実線で示す繊維束挟持位置との間で揺動可能になっている。停止部材３１には、ブラケット３５を介して柱状の駆動力伝達部材３６が連結されている。
【００２１】
図１に示すように、駆動力伝達部材３６におけるブラケット３５とは反対側には、切換装置３７が連結されている。この切換装置３７は、図示しない糸切れセンサの検知信号に基づいて図示しない制御装置によって制御されるようになっている。すなわち、切換装置３７の構成は特に限定されるものではなく、糸切れセンサの検知信号に基づいて制御装置によって制御されることにより、停止部材３１の位置を、駆動力伝達部材３６及びブラケット３５を介して繊維束開放位置と繊維束挟持位置とに切り換え可能である構成であればよい。
【００２２】
図４に示すように、本実施形態では、切換装置３７が駆動されることに伴って、駆動力伝達部材３６が往復直線運動する。そして、駆動力伝達部材３６の往復直線運動に伴って、停止部材３１がブラケット３５を介して揺動するようになっている。櫛歯３２はバックトップローラ１４ｂに当接可能になっており、櫛歯３２がバックトップローラ１４ｂに当接すると、停止部材３１がそれ以上揺動することが規制され、停止部材３１が繊維束挟持位置に位置決めされる。
【００２３】
停止部材３１が繊維束挟持位置に位置決めされた状態において、楔部３３は、バックトップローラ１４ｂとバックボトムローラ１４ａとの間に喰い込んで、バックトップローラ１４ｂと共に粗糸Ｓ１を挟み込んでいる。さらに、バックトップローラ１４ｂと楔部３３とで粗糸Ｓ１が挟み込まれる位置よりも粗糸Ｓ１の流れ方向の上流では、櫛歯３２が粗糸Ｓ１に刺し込まれるようになっている。
【００２４】
次に、本実施形態の作用について説明する。
非糸切れ状態においては、停止部材３１は、繊維束開放位置に保持されている。なお、非糸切れ状態とは、粗糸Ｓ１がトランペット２２を介してドラフト装置１０に供給されて紡出されている状態の他に、紡出開始前で粗糸Ｓ１がまだドラフト装置１０に供給されていない状態をも意味する。紡出開始前の状態では、糸切れセンサが糸を検出しない状態でも制御装置は糸切れと判断せず、切換装置３７による停止部材３１の繊維束挟持位置への駆動は行われない。
【００２５】
精紡機の運転が開始されると、クリールに吊下された粗糸巻から供給される粗糸Ｓ１がトランペット２２にガイドされてバックローラ１４に供給される。バックローラ１４に供給された粗糸Ｓ１は、バックローラ１４とエプロン１３との間、及びエプロン１３とフロントローラ１１との間でドラフトされてフリースとなり、そのフリースが糸となって図示しないスネルワイヤ及びトラベラを経てボビンに巻き取られる。
【００２６】
糸切れが発生すると、糸切れセンサの検知信号により糸切れ錘が特定され、糸切れ錘と対応する切換装置３７が制御装置によって駆動される。この切換装置３７の駆動によって、停止部材３１が繊維束開放位置から繊維束挟持位置に向かって揺動されて、楔部３３がバックトップローラ１４ｂとバックボトムローラ１４ａとの間に喰い込んでバックボトムローラ１４ａからバックトップローラ１４ｂへの回転の伝達が遮断される。そして、楔部３３が、バックトップローラ１４ｂと共に粗糸Ｓ１を挟み込むとともに、櫛歯３２がバックトップローラ１４ｂに当接し、停止部材３１がそれ以上揺動することが規制される。これにより、停止部材３１が繊維束挟持位置に位置決めされる。そして、バックトップローラ１４ｂと楔部３３とで粗糸Ｓ１が挟み込まれる位置よりも粗糸Ｓ１の流れ方向の上流では、櫛歯３２が粗糸Ｓ１に刺し込まれている。粗糸Ｓ１は、ドラフト装置１０の駆動に伴って櫛歯３２を通過していく際に、櫛歯３２によって梳かれて解撚される。
【００２７】
図５に示すように、複数の歯部３２ａが、粗糸Ｓ１の流れ方向において隣り合う歯部３２ａの列の間で相対的に半ピッチずれて配列されているため、複数の歯部３２ａによって粗糸Ｓ１を形成する繊維Ｓ２が枝分かれし易くなっている。これにより、粗糸Ｓ１が効率良く解撚される。そして、繊維Ｓ２同士の絡合が弱まって粗糸Ｓ１の強度が低下し、粗糸Ｓ１の強度が大きい場合であっても、ドラフト装置１０の駆動によって引っ張られる粗糸Ｓ１がバックローラ１４とエプロン１３との間で確実に切断される。ドラフト装置１０の駆動が継続されていても、バックボトムローラ１４ａからバックトップローラ１４ｂへの回転の伝達は楔部３３によって遮断されているため、糸切れが発生した錘のドラフト装置１０への粗糸Ｓ１の供給が停止される。
【００２８】
上記実施形態では以下の効果を得ることができる。
（１）停止部材３１は、バックトップローラ１４ｂと楔部３３とで粗糸Ｓ１が挟み込まれる位置よりも粗糸Ｓ１の流れ方向の上流で、粗糸Ｓ１を解撚する櫛歯３２を有する。これによれば、ドラフト装置１０の駆動に伴い粗糸Ｓ１が櫛歯３２を通過していく際に、粗糸Ｓ１は、櫛歯３２によって梳かれて解撚される。これにより、粗糸Ｓ１を形成する繊維Ｓ２同士の絡合が弱まって粗糸Ｓ１の強度が低下するため、ドラフト装置１０の駆動によって引っ張られる粗糸Ｓ１を切断し易くすることができる。
【００２９】
（２）櫛歯３２がバックトップローラ１４ｂに当接可能になっている。これによれば、櫛歯３２がバックトップローラ１４ｂに当接することにより、停止部材３１におけるバックトップローラ１４ｂに対しての位置精度を向上させることができる。よって、楔部３３をバックトップローラ１４ｂとバックボトムローラ１４ａとの間に精度良く喰い込ませることができる。
【００３０】
（３）例えば、粗糸Ｓ１が、レーヨンのような破断強度が高い粗糸Ｓ１の場合であっても、粗糸Ｓ１は、櫛歯３２によって梳かれて解撚されることで、粗糸Ｓ１を形成する繊維Ｓ２同士の絡合が弱まって粗糸Ｓ１の強度を低下させることができるため、破断強度が高い粗糸Ｓ１であっても切断することが可能となる。よって、粗糸Ｓ１が切断されないことで、ボトムエプロン１３ａ及びトップエプロン１３ｂが、粗糸Ｓ１に対して滑って空回りしてしまい、ボトムエプロン１３ａ及びトップエプロン１３ｂが摩耗してしまうといった不具合が生じてしまうことを防止することができる。
【００３１】
（４）複数の歯部３２ａは、粗糸Ｓ１の流れ方向において隣り合う歯列の間で相対的に半ピッチずれて配列されている。これによれば、ドラフト装置１０の駆動に伴い粗糸Ｓ１が櫛歯３２を通過していく際に、複数の歯列によって繊維Ｓ２が枝分かれし易くなるため、粗糸Ｓ１をさらに効率良く解撚することができる。
【００３２】
なお、上記実施形態は以下のように変更してもよい。
○  実施形態において、楔部３３がバックトップローラ１４ｂとバックボトムローラ１４ａとの間に喰い込んで、バックトップローラ１４ｂと共に粗糸Ｓ１を挟み込むと、停止部材３１がそれ以上揺動することが規制されるように、切換装置３７の駆動が精度良く制御されることができれば、櫛歯３２がバックトップローラ１４ｂに当接しなくてもよい。また、図６（ａ）及び（ｂ）に示すように、停止部材３１において、粗糸Ｓ１の流れ方向に対して直交する方向に位置する両縁部に、バックトップローラ１４ｂと当接する一対の凸部３４を櫛歯３２とは別に形成してもよい。凸部３４は、停止部材３１が繊維束開放位置から繊維束挟持位置に向かって揺動したときに、櫛歯３２よりも先にバックトップローラ１４ｂに当接するようになっている。これによれば、粗糸Ｓ１を櫛梳くために先の尖った形状を有する櫛歯３２（歯部３２ａ）がバックトップローラ１４ｂに当接することにより、バックトップローラ１４ｂの周面が損傷してしまうといった虞が無く、停止部材３１の位置決めを行うことができる。
【００３３】
○  実施形態において、複数の歯部３２ａは、粗糸Ｓ１の流れ方向において隣り合う歯列の間で相対的に半ピッチずれて配列されていなくてもよく、同じピッチで配列されていてもよい。
【００３４】
○  実施形態において、複数の歯部３２ａが、粗糸Ｓ１の流れ方向に２列だけ並んでいてもよいし、３列だけ並んでいてもよい。また、複数の歯部３２ａが粗糸Ｓ１の流れ方向に５列以上並んでいてもよい。
【００３５】
○  実施形態において、粗糸Ｓ１の流れ方向に対して直交する方向に並んで配置された複数の歯部３２ａが一列だけ配置されていてもよい。
○  実施形態において、複数の歯部３２ａは、少なくとも、粗糸Ｓ１の流れ方向に対して交差する方向に並んで配置されていればよく、粗糸Ｓ１の流れ方向に対して直交していなくてもよい。
【００３６】
○  実施形態において、繊維束は粗糸Ｓ１に限らず、スライバであってもよい。例えば、リング精紡機であっても、ドラフト装置として通常の３線式のドラフト装置よりもはるかに大きいドラフト比で繊維束をドラフトするドラフト装置を使用してスライバから糸を紡出するリング精紡機に繊維束供給停止装置３０を使用してもよい。
【００３７】
○  実施形態において、紡機はリング精紡機に限らず、例えば、結束紡績装置やフリクション紡績装置であってもよい。
○  実施形態において、紡機は粗紡機であってもよい。
【００３８】
次に、上記実施形態及び別例から把握できる技術的思想について以下に追記する。
（イ）前記櫛歯の歯部が前記繊維束の流れ方向に複数並んで配置されており、前記複数の歯部は、前記繊維束の流れ方向において隣り合う歯列の間で相対的に半ピッチずれて配列されている。
【符号の説明】
【００３９】
Ｓ１…繊維束としての粗糸、１０…ドラフト装置、１４ａ…バックボトムローラ、１４ｂ…バックトップローラ、３０…繊維束供給停止装置、３１…停止部材、３２…櫛歯、３３…楔部、３４…凸部。
【図１】
0006369406.tif 000002
【図２】
0006369406.tif 000003
【図３】
0006369406.tif 000004
【図４】
0006369406.tif 000005
【図５】
0006369406.tif 000006
【図６】
0006369406.tif 000007